(57)【要約】【課題】掃除作業を行う際の違和感をなくし快適に清掃作業ができる吸込具を提供する。【解決手段】ボデー１２の軸方向に対して回動自在でかつボデー１２の上側外周に設けた吸込部材１３と、吸込部材１３の反対側に位置しボデー１２の下側外周に回動自在に設けられた支持板１４と、吸込部材１３を、ボデー１２の軸方向に対して一定の角度を有して回動突出した位置まで回動させる附勢手段と、吸込部材１３と支持板１４を、ボデー１２の軸方向に対して略平行な位置に保持するビジョウ上１７と、吸込部材１３と支持板１４を、ボデー１２の軸方向に対して略平行な位置まで移動させる腕部１３ａ、１４ａとを備え、支持板１４の被掃除面側の面１４ｂに、被掃除面との接触をやわらかくする接触部材１９を設けた吸込具。【選択図】図３
2013094212.tif 000002
【特許請求の範囲】
【請求項１】
ボデーと、前記ボデーの軸方向に対して回動自在で、かつ前記ボデーの上側外周に設けられた吸込部材と、前記吸込部材の反対側に位置するように、前記ボデーの下側外周に回動自在に設けられた支持板と、前記吸込部材を、前記ボデーの軸方向に対して一定の角度を有して回動突出した位置まで回動させる第１の手段と、前記吸込部材と前記支持板を、前記ボデーの軸方向に対して略平行な位置に保持する第２の手段と、前記吸込部材と前記支持板を、前記ボデーの軸方向に対して略平行な位置まで移動させる第３の手段とを備え、前記支持板の被掃除面側の面に、被掃除面との接触をやわらかくする接触部材を設けたことを特徴とする吸込具。
【請求項２】
支持板が被掃除面側に展開するように回動動作することで、吸込部材が突出するようにした請求項１に記載の吸込具。
【請求項３】
支持板の回動中心を、吸込部材の回動中心より前方に位置させた請求項１又は２に記載の吸込具。
【請求項４】
支持板が、バネなどの附勢手段により展開される側に動作するように設けられた請求項１〜３のいずれか１項に記載の吸込具。
【請求項５】
支持板が吸込部材の前方側に回動しないように規制された請求項１〜４のいずれか１項に記載の吸込具。
【請求項６】
接触部材を、起毛布などで形成した請求項１〜５のいずれか１項に記載の吸込具。
【請求項７】
吸引力を発生する電動送風機と、前記電動送風機の吸気上流側に配設され塵埃を捕集する集塵室を有する掃除機本体と、前記集塵室の吸気口部に接続される本体接続部を一端に有するホースと、請求項１〜６のいずれか１項に記載の吸込具とを備え、前記ホースの他端に前記吸込具を接続した電気掃除機。
【発明の詳細な説明】
【技術分野】
【０００１】
本発明は、電気掃除機などの吸引装置に接続されて使用する吸込具及びそれを用いた電気掃除機に関するものである。
【背景技術】
【０００２】
従来この種の吸込具および電気掃除機とし、パイプ部材と、パイプ部材の軸方向に対して回動自在で、かつパイプ部材の外周又は一部に配設されブラシを植毛した吸込部材と、吸込部材を、パイプ部材の軸方向に対して回転方向に附勢する弾性体と、吸込部材がパイプ部材の軸方向に対して一定の角度を有して回動突出した位置まで回動する手段と、パイプ部材の軸方向に対して略平行な位置に保持する手段と、吸込部材をパイプ部材の軸方向に対して略平行な位置まで移動させる手段を有する吸込具が提案されている（例えば、特許文献１参照）。
【０００３】
以上のように、上記構成により、従来の吸込具は、吸込具の着脱時に吸込具に触れずに吸込具の収納が掃除作業の延長で行うことができ、衛生的で使用性に優れたものであった。
【先行技術文献】
【特許文献】
【０００４】
【特許文献１】特開２００７−２１０５８号公報
【発明の概要】
【発明が解決しようとする課題】
【０００５】
しかしながら、前記従来吸込具の構成では、吸込具を使用するときに吸込部材が突出するが、吸込部材にあるブラシにて清掃作業を行う際に、吸込部材の下端が被掃除面に当たることがあった。吸込部材はポリプロピレンなどのやわらかい樹脂でできているため傷をつけることはないが、樹脂でできているためにコツコツと被掃除面を叩くので掃除感触が悪い、という課題があった。
【０００６】
本発明は、前記従来の課題を解決するもので、被掃除面にやわらかく接触することで掃除作業を行う際の違和感をなくし快適に清掃作業を行える吸込具及び電気掃除機を提供することを目的とする。
【課題を解決するための手段】
【０００７】
前記従来の課題を解決するために、本発明の吸込具は、ボデーと、前記ボデーの軸方向に対して回動自在で、かつ前記ボデーの上側外周に設けられた吸込部材と、前記吸込部材の反対側に位置するように、前記ボデーの下側外周に回動自在に設けられた支持板と、前記吸込部材を、前記ボデーの軸方向に対して一定の角度を有して回動突出した位置まで回動させる第１の手段と、前記吸込部材と前記支持板を、前記ボデーの軸方向に対して略平行な位置に保持する第２の手段と、前記吸込部材と前記支持板を、前記ボデーの軸方向に対して略平行な位置まで移動させる第３の手段とを備え、前記支持板の被掃除面側の面に、被掃除面との接触をやわらかくする接触部材を設けたもので、吸込具を使用する際には、第１の手段により、吸込部材が回動突出するので、すぐ使用することができ、吸込具を使用しないときは、第２、第３の手段で、前記吸込部材と支持板が、ボデーの軸方向に対して略平行な位置まで移動した後、保持されるので、吸込部材と支持板の収納がスムーズで、さらに、支持板に設けた接触部材により被掃除面への接触をやわらかくすることができ、掃除作業を行う際の違和感をなくし快適に清掃作業を行えるようになるものである。
【０００８】
また、本発明の電気掃除機は、吸引力を発生する電動送風機と、前記電動送風機の吸気上流側に配設され塵埃を捕集する集塵室を有する掃除機本体と、前記集塵室の吸気口部に接続される本体接続部を一端に有するホースと、請求項１〜６のいずれか１項に記載の吸込具とを備え、前記ホースの他端に前記吸込具を接続したもので、非常に使用勝手が良く、しかも狭いところに掃除が容易な電気掃除機を提供することができる。
【発明の効果】
【０００９】
本発明の吸込具およびそれを用いた電気掃除機は、吸込具の使用時に、吸込部材が突出するとともに支持板が被掃除面側に展開すると共に、支持板に、被掃除面への接触をやわらかくする接触部材が取り付けられているので、掃除作業を行う際の違和感をなくし快適に清掃作業を行うことができる。
【図面の簡単な説明】
【００１０】
【図１】本発明の実施の形態１における吸込具を備えた電気掃除機の斜視図
【図２】同吸込具の前面図
【図３】同吸込具の側部断面図
【図４】同吸込具の吸込部材と支持板が展開したときの側部断面図
【発明を実施するための形態】
【００１１】
第１の発明は、ボデーと、前記ボデーの軸方向に対して回動自在で、かつ前記ボデーの上側外周に設けられた吸込部材と、前記吸込部材の反対側に位置するように、前記ボデーの下側外周に回動自在に設けられた支持板と、前記吸込部材を、前記ボデーの軸方向に対して一定の角度を有して回動突出した位置まで回動させる第１の手段と、前記吸込部材と前記支持板を、前記ボデーの軸方向に対して略平行な位置に保持する第２の手段と、前記吸込部材と前記支持板を、前記ボデーの軸方向に対して略平行な位置まで移動させる第３の手段とを備え、前記支持板の被掃除面側の面に、被掃除面との接触をやわらかくする接触部材を設けたもので、吸込具を使用する際には、第１の手段により、吸込部材が回動突出するので、すぐ使用することができ、吸込具を使用しないときは、第２、第３の手段で、前記吸込部材と支持板が、ボデーの軸方向に対して略平行な位置まで移動した後、保持されるので、吸込部材と支持板の収納がスムーズで、さらに、支持板に設けた接触部材により被掃除面への接触をやわらかくすることができ、掃除作業を行う際の違和感をなくし快適に清掃作業を行えるようになるものである。
【００１２】
第２の発明は、特に、第１の発明の支持板が被掃除面側に展開するように回動動作することで、吸込部材が突出するようにしたもので、吸込具を使用する際に支持板と共に吸込部材が展開することにより使用するための準備が簡単に行えるものである。
【００１３】
第３の発明は、特に、第１又は第２の支持板の回動中心を、吸込部材の回動中心より前方に位置させたもので、支持板が展開する動作を行うことで吸込部材を突出させる動作を行えるため、吸込具を使用する準備が自動的に行えるようになるものである。
【００１４】
第４の発明は、特に、第１〜３のいずれか一つの発明の支持板が、バネなどの附勢手段により展開される側に動作するように設けられたもので、支持板が使用状態に附勢手段により自動的に展開されるため、簡単に使用状態に移行できるものである。
【００１５】
第５の発明は、特に、第１〜４のいずれか一つの発明の支持板が吸込部材の前方側に回動しないように規制されたもので、吸込具を使用し終えた際に支持板が規定の位置より回動しすぎて収納の邪魔にならないようにすることができる。
【００１６】
第６の発明は、特に、第１〜５のいずれか一つの発明の接触部材を、起毛布などで形成したもので、接触部材を安価に形成することができると共に、組み立ても容易である。
【００１７】
第７の発明にかかる電気掃除機は、吸引力を発生する電動送風機と、前記電動送風機の吸気上流側に配設され塵埃を捕集する集塵室を有する掃除機本体と、前記集塵室の吸気口部に接続される本体接続部を一端に有するホースと、請求項１〜６のいずれか１項に記載の吸込具とを備え、前記ホースの他端に前記吸込具を接続したもので、非常に使用勝手が良く、しかも狭いところに掃除が容易な電気掃除機を提供することができる。
【００１８】
以下、本発明の実施の形態について、図面を参照しながら説明する。なお、この実施の形態によって本発明が限定されるものではない。
【００１９】
（実施の形態１）
本発明の実施の形態１における吸込具及び電気掃除機の一例について、図１〜４を参照して具体的に説明する。
【００２０】
図１は、本実施の形態における吸込具を備えた電気掃除機の斜視図、図２は、同吸込具の前面図、図３は、同吸込具の側部断面図、図４は、同吸込具の吸込部材と支持板が展開したときの側部断面図である。
【００２１】
図１において、本実施の形態に係る吸込具８は、典型的なキャニスター型の電気掃除機１に備えられているものである。
【００２２】
電気掃除機１は、掃除機本体２と、吸引ホース３と、手元操作部４と、吸引延長管５と、吸込具本体６を備えている。
【００２３】
掃除機本体２は、内部に電動送風機９と、集塵室１０を備えている。掃除機本体２の前部には、集塵室１０に連通する吸気口部２ａが設けられ、吸引ホース３の一端に設けた本体接続部である接続パイプ１１が、吸気口部２ａに着脱自在に接続されている。
【００２４】
吸引ホース３の他方の端には、手元操作部４が設けられており、この手元操作部４の先端に対して、吸引延長管５の一方の端が着脱自在に接続されている。さらに、吸引延長管５の他方の端には、吸込具８が着脱自在に取り付けられている。
【００２５】
このようにして、電動送風機９の動作により吸引力が発生し、吸引ホース３、吸引延長管５を介して吸込具本体６に吸引力が発生する。
【００２６】
電気掃除機１の使用時には、手元操作部４を操作して、掃除機本体２の電源を入れる。これにより、電動送風機９の動作によって吸込具本体６に吸引力が発生するので、床面上の塵埃が吸引され、吸引延長管５、吸引ホース３、接続パイプ１１を介して集塵室１０に集められる。
【００２７】
使用者は、手元操作部４を把持して、床面上で吸込具本体６の位置を移動させることで、掃除する床面の領域を変える。
【００２８】
また、床面ではなく、部屋の隅、家具等の隙間等の狭い領域を掃除したい場合には、吸引延長管５から先を取り外し、掃除を行う。このとき、手元操作部４の先端には、吸込具８があり、吸引延長管５を外すことにより使用することができる。
【００２９】
電気掃除機１における具体的な構成、すなわち、掃除機本体２、吸引ホース３、手元操
作部４、吸引延長管５等は特に限定されず、電気掃除機の分野で公知の各種構成を好適に用いることができる。
【００３０】
次に、本実施の形態に係る吸込具８の具体的な構成について、図２から図４を参照して説明する。
【００３１】
本実施の形態に係る吸込具８のボデー１２に、吸込部材１３と支持板１４が回動自在に設けられている。ボデー１２には、回動軸（図示せず）が２箇所設けられており、一方に吸込部材１３が、他方に支持板１４がそれぞれ回動自在に軸支されている。支持板１４の回動軸の中心が、吸込部材１３の回動軸の中心より前方に位置している。また、支持板１４の回動軸上には、バネなどからなる附勢手段１５があり、支持板１４は、この附勢手段１５により、ボデー１２に対して後方側に回動するように附勢されている。
【００３２】
本実施の形態では、支持板１４が、後方に回動することにより、支持板１４の腕部１４ａが吸込部材１３の腕部１３ａを押して、吸込部材１３が前方に回動して、吸込部材１３に植毛された多数のブラシ１６がボデー１２より突出する構成となっている。
【００３３】
すなわち本実施の形態では、附勢手段１５が、吸込部材１３を、ボデー１２の軸方向に対して一定の角度まで回動突出させる第１の手段を構成している。
【００３４】
吸込部材１３は、ビジョウ上１７によりボデー１２から突出することが規制されている。ビジョウ上１７が、吸込部材１３に掛かっている間は、支持板１４も動作が止められており展開することができない状態となっている。なお、支持板１４はボデー１２に対して前方方向に回動できないように規制されている。
【００３５】
すなわち、本実施の形態では、ビジョウ上１７が、吸込部材１３と支持板１４を、ボデー１２の軸方向と略平行な位置に保持する第２の手段を構成している。
【００３６】
ボデー１２の下面には、ビジョウ下１８が設けられており、ビジョウ下１８により、手元操作部４にボデー１２が保持される用になっている。
【００３７】
支持板１４の、支持板１４が後方に回動したときに斜め前方に面する面１４ｂ上には、起毛布などでできた接触部材１９が設けられている。
【００３８】
以上のように構成された本実施の形態における吸込具８の動作、作用を説明する。
【００３９】
吸込具８を使う際にはまず吸引延長管５を抜くことから行う。吸引延長管５を抜くと、手元操作部４の先端が現れ、手元操作部４の先端に取り付けられた吸込具８が使えるようになる。
【００４０】
ビジョウ上１７を押すことにより、ビジョウ上１７による吸込部材１３の保持が外れ、同時に、附勢手段１５により、支持板１４が後方に回動する。そして、支持板１４の腕部１４ａが吸込部材１３の腕部１３ａを押すことにより、吸込部材１３が前方に回動し、吸込部材１３のブラシ１６がボデー１２より突出し掃除作業ができるようになる。また、支持板１４が後方に回動することより、接触部材１９が被掃除面側を向くことになる。
【００４１】
掃除作業を行う際には、ブラシ１６を被掃除面に当てて行うが、このときに、ボデー１２の下面を当てるようにして吸込具８を支えて行うことになる。このときに、支持板１４の接触部材１９が被掃除面に当たることになり、被掃除面への接触がやわらかくなるので、掃除作業を行う際の違和感をなくし快適に清掃作業を行えるようになるものである。ま
た、使用時に、ビジョウ上１７を操作することですぐに使用状態になることにより簡便に使用することができるようになるものである。
【００４２】
吸込具８での掃除作業を終え、再び吸込具本体６による掃除作業を行う場合は、吸引延長管５の先端を、斜め前方から吸込部材１３に差込みながら、持ち上げると、吸込部材１３が後方に回動すると共に、同時に吸込部材１３の腕部１３ａが、附勢手段１５による附勢力に抗して支持板１４の腕部１４ａを押して、最終的には、図３に示すように、吸込部材１３と支持板１４が共に、ボデー１２の軸方向と略並行な位置まで移動する。
【００４３】
すなわち、本実施の形態では、吸込部材１３の腕部１３ａと支持板１４の腕部１４ａとで、吸込部材１３と支持板１４を、ボデー１２の軸方向と略並行な位置まで移動させる第３の手段を構成している。
【００４４】
なお、吸引延長管５の先端を吸込部材１３に斜め前方から差し込む代わりに、あらかじめ、附勢手段１５による支持板１４を介して伝わる附勢力に抗して吸込部材１３を指で後方に回動させ、ビジョウ上１７で吸込部材１３を保持した後、吸引延長管５を差し込んでも良い。
【００４５】
また、吸引延長管５の先端の下部を、支持板１４の上面１４ｃに当接させるように押し込んでも、支持板１４を、附勢手段１５による附勢力に抗して、前方に回動させることもできる。この場合は、吸込部材１３は、吸引延長管５の挿入動作に追随して、後方に回動することになる。
【産業上の利用可能性】
【００４６】
以上のように、本発明では、吸込具を使用する際に支持板が被掃除面側に回動し、支持板に設けた接触部材が被掃除面に面するので、被掃除面への接触をやわらかくして、掃除作業を行う際の違和感をなくし快適に清掃作業を行えるようになるものである。
【符号の説明】
【００４７】
１２  ボデー
１３  吸込部材
１３ａ、１４ａ  腕部（第３の手段）
１４  支持板
１４ｂ  面
１５  附勢手段（第１の手段）
１７  ビジョウ上（第２の手段）
１９  接触部材
【図１】
2013094212.tif 000003
【図２】
2013094212.tif 000004
【図３】
2013094212.tif 000005
【図４】
2013094212.tif 000006